(57)【要約】【課題】天板の下方に主棚板を配置した机において、簡易な構造を維持しつつ、レアアクセス物品の整理機能を確保する。【解決手段】天板１と主棚板１８との間の空間が、その後部に配置した左右横長の仕切り板１９により、主収納空間２０と補助収納空間２１とに区画されている。レアアクセス物品は、補助収納空間２１に収納できる。主収納空間２０と補助収納空間２１とは共通の主棚板１８を使用しているため、構造は簡単である。底板７を有する袖キャビネット３において、背面板８を手前にずらすことにより、サイド補助収納部２４を形成することができる。サイド補助収納部２４には、レアアクセス物品を収納できる。【選択図】図２
2019072187.tif 000002
【特許請求の範囲】
【請求項１】
左右の脚装置で支持された天板と、前記天板の下方に配置された主棚板とを有しており、前記天板と主棚板との間の空間を、人が物品を手前から出し入れできる前面開放式の収納空間と成している構成であって、
前記主棚板の後部と左右側部との３つの部位のうちの少なくとも１つの部位に、当該主棚板から起立した仕切り板を、前記主棚板の外周端よりも内側に位置した状態で設けることにより、前記仕切り板の外側の部位を補助収納空間と成している、
机。
【請求項２】
前記仕切り板を左右横長の姿勢にして前記主棚板の後部に配置することにより、前記補助収納空間を主棚板の後部に形成しており、前記主棚板の後端又は天板の下面に、収納した物品が後ろに落ちることを阻止するストッパーが着脱可能に配置されている、
請求項１に記載した机。
【請求項３】
天板を支持する脚装置として機能する袖キャビネットであって、
前記袖キャビネットは、左右側板と底板と背面板とを有する角形の形態であり、前記背面板を前記左右側板の後端及び底板の後端よりも手前に位置させることにより、前記袖キャビネットの後部にサイド補助収納部を設けている、
机。
【請求項４】
前記袖キャビネットにおける左右側板の後端に、前記サイド補助収納部に収納した物品が後ろに落ちることを阻止するストッパーを設けている、
請求項３に記載した机。
【発明の詳細な説明】
【技術分野】
【０００１】
本願発明は、机に関するものである。
【背景技術】
【０００２】
机には様々なタイプがあるが、その一つとして、特許文献１には、天板の左側部を袖キャビネットで支持してなる机において、天板のうち袖キャビネットで支持されていない部分の下方に棚板を配置して、天板と棚板との間の空間を手前に開口したオープン式の収納部と成したものが開示されている。特許文献１において、棚板の後端には、載置した物品が後ろに落ちないように背面板を設けている。
【０００３】
他方、机の後部に配線用等の補助収納部を設けることも広く行われており、その例として特許文献２には、後ろ幕板の前面に配線受けを設けることが開示されている。
【先行技術文献】
【特許文献】
【０００４】
【特許文献１】意匠登録第５８４８４８号公報
【特許文献２】特許第４７５９０３５号公報
【発明の概要】
【発明が解決しようとする課題】
【０００５】
机においては、天板の下方に収納部を設ける場合、特許文献１のようなオープン式の他に引出し方式があるが、オープン式はいわば簡易構造であり、引出し式に比べてコストも抑制することができる利点や、物品の出し入れを迅速に行うことができる利点、或いは、物品の収納容積を引出し方式に比べて大きくできる利点等がある。
【０００６】
他方、机上には、パソコンや灯具などの電子機器・電器製品を載置することが多いため、ケーブルやコンセント、ハブ、モデムなどの関連物品の収納場所が問題になる。しかるに、特許文献２のように後ろ幕板に配線受けを設けた構造では、後ろ幕板が必須の部材になるため、構造が複雑化してコストが大幅に嵩んでしまう。
【０００７】
本願発明はこのような現状に鑑み成されたものであり、構造の簡易性は保持しつつ天板の下方の空間を有効利用して、物品をその性質に応じて適切に収納できるようにした机を提供しようとするものである。
【課題を解決するための手段】
【０００８】
本願発明は様々な構成を含んでおり、その典型を各請求項で特定している。このうち請求項１の机は、
「左右の脚装置で支持された天板と、前記天板の下方に配置された主棚板とを有しており、前記天板と主棚板との間の空間を、人が物品を手前から出し入れできる前面開放式の収納空間と成している構成であって、
前記主棚板の後部と左右側部との３つの部位のうちの少なくとも１つの部位に、当該主棚板から起立した仕切り板を、前記主棚板の外周端よりも内側に位置した状態で設けることにより、前記仕切り板の外側の部位を補助収納空間と成している」
というものである。
【０００９】
請求項２の発明は請求項１を具体化したもので、この発明では、前記仕切り板を左右横長の姿勢にして前記主棚板の後部に配置することにより、前記補助収納空間を主棚板の後部に形成しており、前記主棚板の後端又は天板の下面に、収納した物品が後ろに落ちることを阻止するストッパーが着脱可能に配置されている。
【００１０】
請求項３の発明は、天板を支持する脚装置として機能する袖キャビネットに関するものであり、この袖キャビネットは、左右側板と底板と背面板とを有する角形の形態であり、前記背面板を前記左右側板の後端及び底板の後端よりも手前に位置させることにより、前記袖キャビネットの後部にサイド補助収納部を設けている。
【００１１】
請求項４の発明は請求項３の発明を具体化したもので、この発明では、前記袖キャビネットにおける左右側板の後端に、前記サイド補助収納部に収納した物品が後ろに落ちることを阻止するストッパーを設けている。
【発明の効果】
【００１２】
請求項１の発明では、ケーブルの余長部分やコンセント、ハブ、モデムなどの機器類、或いは、保管義務がある過去の伝票類、大切に保管しておきたい物など、頻繁に取り出す必要がないレアアクセス物品は、補助収納空間に収納することにより、邪魔にならない状態に整理して保管することができる。そして、主収納空間と補助収納空間とは同一高さの主棚板を共用しているため、構造が複雑化することもない。
【００１３】
さて、特許文献１では、主棚板の後端は天板の後端箇所に位置しており、天板の下方の収納空間は天板の後端まで延びている。しかるに、机はその機能からある程度の奥行きがあるため、特許文献１のように収納空間が天板の後端まで延びていると、収納空間の奥行きが大き過ぎてしまって、物品の整理機能が損なわれたり、奥に行き過ぎた物品の取り出しが面倒になったりするなど、却って使い勝手が悪くなることが懸念される。
【００１４】
これに対して請求項２の構成では、主収納空間と補助収納空間とが前後に仕切られているため、主収納空間の奥行きが過度に大きくなることを防止しつつ、補助収納空間を形成することができる。すなわち、主収納空間としては適度の奥行きを確保しつ、その後ろの空間を補助収納空間として有効利用できるのである。従って、請求項２では、天板の下方の空間を有効利用して、主収納空間での物品の整理機能や物品取り出しの容易性を確保しつつ、補助収納空間を形成することができる。
【００１５】
また、請求項２の発明では、補助収納空間に収納した物品の脱落がストッパーで阻止されるため安心であるが、ストッパーは着脱可能であるため、例えば、補助収納空間の高さと同じ程度の物品であっても容易に出し入れすることができる。従って、使用価値が高い。
【００１６】
請求項３の発明も請求項１と同様であり、頻繁に取り出す必要がないレアアクセス物品は、袖キャビネットの後部に形成されたサイド補助収納部に整理して収容することができる。そして、サイド補助収納部は、袖キャビネットの底板と側板を利用して形成されているため、構造が複雑化することもない。
【００１７】
また、袖キャビネットはある程度の左右幅と高さがあるため、サイド補助収納部も相当の高さと横幅がある。従って、ファイル類や書籍のような広い面積の物品も収容可能である。この点は、請求項３の大きな利点の一つである。請求項４のようにストッパーを設けると、物品（或いは物品群）を安定した状態に収納できる。
【図面の簡単な説明】
【００１８】
【図１】実施形態を示す図で、（Ａ）は手前から見た全体斜視図、（Ｂ）は袖キャビネットの扉を開いた状態での部分斜視図である。
【図２】（Ａ）は後ろから見た一部破断全体斜視図、（Ｂ）は（Ａ）のＢ−Ｂ視断面図である。
【発明を実施するための形態】
【００１９】
(1).基本構造
次に、本願発明の実施形態を図面に基づいて説明する。本実施形態は木製の机に適用しており、天板１は左右横長の長方形に形成されている。そして、天板１の左側端部は角形の前後棒脚２で支持されて、天板１の右側の部位は袖キャビネット３で支持されている。すなわち、袖キャビネット３が脚装置として機能している。前後の棒脚２は、板材からなる上部横桟４と下部横桟５とで連結されている。
【００２０】
袖キャビネット３は、左右の側板６と底板７と背面板８とを備えており、側板６と背面板８とは天板１にダボ等で固定されている。左右側板の間の空間が収納部になっているが、上部には引出し９が前後動自在に配置されており、引出し９の下方には、袖棚板１０が高さ変更可能に（又は固定的に）配置されている。図では袖棚板１０は２枚表示しているが、１枚又は３枚以上配置してもよい。或いは、袖棚板１０を備えていない１ボックスタイプとすることも可能である。
【００２１】
従って、袖キャビネット３のうち引出し９の下方の空間は、前向きに開口したオープン式収納空間になっており、右側板６に、オープン式収納空間を覆う水平回動式の扉１１が、蝶番１２によって取り付けられている。
【００２２】
袖キャビネット３の底板７には、板材より成る前接地足１３と後ろ接地足１４とが固定されている。前接地足１３は底板７の左右中間部に位置しており、後ろ接地足１４は底板７の左右両端部に位置している。接地足１３，１４は平面視で左右横長の長方形であり、左右の後ろ接地足１４は左右長手の第１ビーム１５で連結されて、前接地足１３と第１ビーム１５とが前後長手の第２ビーム１６で連結されている。両ビーム１５，１６は、板材を使用している。なお、袖キャビネット３の下面にアジャスタを取付けてもよい。
【００２３】
(2).主収納空間・補助収納空間・サイド補助収納部
棒脚２と袖キャビネット３との間の空間の上部に、天板１の下方に収納空間を形成するための主棚板１８が配置されている。主棚板１８は、棒脚２と袖キャビネット３の左側板６とに連結されている。また、天板１と主棚板１８との間の空間のうち、主棚板１８の後端よりもある程度手前に位置した部位に、左右長手の仕切り板１９が配置されており、仕切り板１９は、天板１と主棚板１８とに固定されている。
【００２４】
従って、天板１と主棚板１８との間の収納空間は、仕切り板１９の手前に位置した主収納空間２０と、仕切り板１９の後ろに位置した補助収納空間２１とに区分されており、これら収納空間２０，２１は、棒脚２を繋ぐ上部横桟４と袖キャビネット３の左側板６とによって左右が塞がれている。
【００２５】
主棚板１８の後端上面には、左右横長のストッパー２２を配置している。ストッパー２２は、下向きに突出した複数本のピン（ダボ）２３を有している一方、主棚板１８の後端にはピン２３が嵌まる係合穴（図示せず）が空いており、従って、ストッパー２２は主棚板１８に着脱自在である。なお、ストッパー２２は天板１に取付けてもよいし、棒脚２と袖キャビネット３とに装架してもよい。
【００２６】
袖キャビネット３を構成する背面板８を、側板６及び底板７の後端よりもある程度手前に配置することにより、袖キャビネット３の後部にサイド補助収納部２４を形成している。左右側板６の後端間には、上下のストッパー２５，２６を装架している。上ストッパー２５は、上下中間高さ位置よりも下に配置している。下ストッパー２６は底板７に当接しているが、底板７から少し浮かした状態に配置してもよい。
【００２７】
なお、下ストッパー２６は底板７に固定することも可能である。サイド補助収納部２４のストッパー２５，２６は固定式になっているが、少なくとも上ストッパー２５を着脱方式にしてもよい。また、固定式にしても着脱式にしても、ストッパー２５，２６は線材製や板金製等とすることも可能である。
【００２８】
袖キャビネット３の後端面と主棚板１８の後端面とは同一面に揃っているが、両者の後端の位置を異ならせてもよい。また、袖キャビネット３の後端面及び主棚板１８の後端面とも天板１の後端面よりも手前に位置しているが、いずれか一方又は両方を天板１の後端面と同じ位置に揃えてもよい。
【００２９】
(3).まとめ
以上の構成において、天板１と主棚板１８との間の空間は主収納空間２０と補助収納空間２１とに前後に区分されているため、コンセントやコネクタ類、証書類など、通常は触れることがないレアアクセス物品は、補助収納空間２１に収納したらよい。従って、レアアクセス物品を邪魔にならない状態で整理して収納できる。
【００３０】
そして、主収納空間２０と補助収納空間２１とは同じ高さの主棚板１８を共用しているため、構造は簡単でコストを抑制できる。なお、主棚板１８は１枚板である必要はないのであり、複数枚の板材を突き合わせて１枚板の状態に形成してもよい。
【００３１】
主収納空間２０の奥行きは任意に設定できるが、奥行きがあり過ぎると、例えば書類が混ざり合ったり、先に載置した物品が後から入れた物品で押されて位置が不明確になったりするなど、却って使い勝手が悪くなることがある。これに対して本実施形態では、主収納空間２０の奥行きは、例えばＡ４用ファイルが縦長の姿勢で余裕を持って収納できる程度の奥行きとすることにより、物品の出し入れの容易性を確保し、物品を整理して収容できるように配慮している。
【００３２】
そして、主収納空間２０と補助収納空間２１とを含めた収納空間は、天板１の後端よりも手前に位置している。従って、補助収納空間２１を設けたことによって主収納空間２０の容積が低下するようなことはない。別の視点でみると、主収納空間２０の後ろのデッドスペースが補助収納空間２１として有効利用されている。
【００３３】
袖キャビネット３に設けたサイド補助収納部２４の機能も補助収納空間２１と同様であるが、サイド補助収納部２４は背面視での高さが大きいため、ファイル類やケース類のように表面積が大きい物品も収納できる利点がある。
【００３４】
袖キャビネット３の背面は、天板１の背面よりもかなり手前に位置している。このため、机を建物の壁に当てて設置した場合でも、袖キャビネット３の背面と壁との間に、人が手を横から挿入できる程度の間隔を空けることができる。従って、机を手前にずらさなくても、物品をサイド補助収納部２４に出し入れすることが可能である。
【００３５】
本願発明は、他にも様々に具体化できる。例えば、実施形態では天板を支持する脚装置としては、板状の脚やＬ形脚など様々な形態のものを採用できる。天板の左右を袖キャビネットで支持することも可能である。袖キャビネットは、実施形態から扉を外した状態のものや、扉及び引出しを備えていないフルオープン式であってもよいし、或いは、引出しのみを装架したタイプであってもよい。なお、キャスタ付き等の移動式の袖キャビネット（ワゴン）の背面にサイド補助収納部を形成することも可能である。
【００３６】
天板と主棚板との間の空間を前後長手の仕切り板で区画することにより、机の左側部又は右側部若しくは左右両側部に、横向きに開口した補助収納空間を形成することも可能である。
【産業上の利用可能性】
【００３７】
本願発明は、机に具体化できる。従って、産業上利用できる。
【符号の説明】
【００３８】
１  天板
２  脚装置としての棒脚
３  脚装置として機能する袖キャビネット
６  袖キャビネットの側板
７  袖キャビネットの底板
８  袖キャビネットの背面板
１８  主棚板
１９  仕切り板
２０  主収納空間
２１  補助収納空間
２２  ストッパー
２４  サイド補助収納部
２５，２６  ストッパー
【図１】
2019072187.tif 000003
【図２】
2019072187.tif 000004